(57)【特許請求の範囲】
【請求項１】
新設窓枠と新設障子とを備え、既設窓枠に対して取り付けられる改装用新設窓であって、
前記新設窓枠は互いに別体である外枠と内枠とに分かれており、
前記内枠には、前記新設障子が取り付けられ、
前記内枠と前記外枠とは、前記内枠が前記外枠に対し見込み方向における所定のスライド量の範囲にてスライド可能にユニット化されていることを特徴とする改装用新設窓。
【請求項２】
請求項１に記載の改装用新設窓であって、
前記外枠は、該外枠を前記既設窓枠に対し固定部材で固定するための固定部を有していることを特徴とする改装用新設窓。
【請求項３】
請求項２に記載の改装用新設窓であって、
前記固定部は、前記内枠が前記外枠に対し室内側にスライドされた際に前記内枠によって覆われる位置に設けられていることを特徴とする改装用新設窓。
【請求項４】
請求項１乃至請求項３のいずれかに記載の改装用新設窓であって、
前記改装用新設窓は、フィックス窓であることを特徴とする改装用新設窓。
【請求項５】
請求項１乃至請求項４のいずれかに記載の改装用新設窓であって、
前記外枠と前記内枠には、前記スライド量を制限するための係合部が設けられていることを特徴とする改装用新設窓。
【請求項６】
請求項１乃至請求項５のいずれかに記載の改装用新設窓であって、
前記内枠には、前記改装用新設窓を前記既設窓枠に対して取り付けた際に、前記内枠と前記既設窓枠との間を塞ぐ乾式シール材が設けられていることを特徴とする改装用新設窓。
【請求項７】
互いに別体である外枠と内枠とを有し、前記内枠と前記外枠とが、前記内枠が前記外枠に対し見込み方向における所定のスライド量の範囲にてスライド可能にユニット化されている新設窓枠と、前記内枠に取り付けられた新設障子と、を備えた改装用新設窓を、既設窓枠に挿入するステップと、
前記外枠と前記内枠を固定するステップと、
を有することを特徴とする窓の改装方法。
【請求項８】
請求項７に記載の窓の改装方法であって、
前記既設窓枠に挿入された前記改装用新設窓の前記外枠を前記既設窓枠に対し固定部材で固定するステップと、
前記外枠に設けられた前記固定部材を前記内枠で覆うように前記内枠を前記外枠に対して見込み方向にスライドさせるステップと、
を有し、
前記外枠と前記内枠を固定するステップにおいては、スライド後の前記内枠を前記外枠に固定することを特徴とする窓の改装方法。
【請求項９】
請求項７又は請求項８に記載の窓の改装方法であって、
前記外枠と前記内枠とを固定した後、前記新設障子にガラスを装着するステップを有することを特徴とする窓の改装方法。
【請求項１０】
請求項７乃至請求項９のいずれかに記載の窓の改装方法であって、
前記新設窓枠の室内側に位置する部位と前記既設窓枠とに跨がって止水材を取り付けるステップを有することを特徴とする窓の改装方法。
【発明の詳細な説明】
【技術分野】
【０００１】
本発明は、改装用新設窓、及び、窓の改装方法に関する。
【背景技術】
【０００２】
窓枠と障子とを備え、既設窓枠に対して取り付けられる改装用新設窓は、既によく知られている。このような改装用新設窓としては、例えば、アルミニウム製の縦すべり出し窓を挙げることができる。
【先行技術文献】
【特許文献】
【０００３】
【特許文献１】特許第４８９６１１３号公報
【発明の概要】
【発明が解決しようとする課題】
【０００４】
従来の改装用新設窓は、複数の部材が互いに別々の部材（単体）となっていた。そのため、各々の部材を現場に持って行って現場で組み立て作業（連結作業）を行う必要があった。したがって、組み立てが現場の作業員に委ねられ、品質が安定しないという問題が生じていた。
【０００５】
本発明は、かかる課題に鑑みてなされたものであり、その目的とするところは、品質が安定した改装用新設窓を実現することにある。
【課題を解決するための手段】
【０００６】
かかる目的を達成するために本発明の改装用新設窓は、新設窓枠と新設障子とを備え、既設窓枠に対して取り付けられる改装用新設窓であって、
前記新設窓枠は互いに別体である外枠と内枠とに分かれており、
前記内枠には、前記新設障子が取り付けられ、
前記内枠と前記外枠とは、前記内枠が前記外枠に対し見込み方向における所定のスライド量の範囲にてスライド可能にユニット化されていることを特徴とする改装用新設窓である。
【０００７】
このような改装用新設窓によれば、外枠及び内枠がスライド可能な構造とされ改装用新設窓が予めユニット化されているので、現場ではなく工場で組み立て作業（連結作業）を行うことができる。そのため、品質が安定した改装用新設窓を実現することが可能となる。
【０００８】
かかる改装用新設窓であって、
前記外枠は、該外枠を前記既設窓枠に対し固定部材で固定するための固定部を有していることが望ましい。
【０００９】
このような改装用新設窓によれば、新設窓枠（外枠）と既設窓枠が近い状態で、新設窓枠（外枠）と既設窓枠を固定することができるので、新設窓枠と既設窓枠の固定強度を高くすることが可能となる。
【００１０】
かかる改装用新設窓であって、
前記固定部は、前記内枠が前記外枠に対し室内側にスライドされた際に前記内枠によって覆われる位置に設けられていることが望ましい。
【００１１】
このような改装用新設窓によれば、新設窓枠の取り付けが終了したときには、固定部に設けられた固定部材を内枠で隠すことができ、意匠上の見栄えを向上させることが可能となる。
【００１２】
かかる改装用新設窓であって、
前記改装用新設窓は、フィックス窓であることが望ましい。
【００１３】
このような改装用新設窓によれば、窓の種類がフィックス窓である場合でも、内枠が外枠に対し見込み方向にスライド可能となっている構成により、改装用新設窓を既設窓枠に固定するための固定部材を設けるための適切なスペースを作り出す効果が奏されることとなる。
【００１４】
かかる改装用新設窓であって、
前記外枠と前記内枠には、前記スライド量を制限するための係合部が設けられていることが望ましい。
【００１５】
このような改装用新設窓によれば、作業者は、内枠を外枠に対しスライドさせる際にどこまでスライドさせるかを意識することなくスライド作業を行うことができる。また、スライドさせて内枠と外枠が係合した際には、内枠と外枠の相対移動が係止されるため、作業者は、安全に各種作業が行える。
【００１６】
かかる改装用新設窓であって、
前記内枠には、前記改装用新設窓を前記既設窓枠に対して取り付けた際に、前記内枠と前記既設窓枠との間を塞ぐ乾式シール材が設けられていることが望ましい。
【００１７】
このような改装用新設窓によれば、改装用新設窓を既設窓枠に対して取り付けるだけで、窓の防水性を確保することが可能となる。
【００１８】
次に、互いに別体である外枠と内枠とを有し、前記内枠と前記外枠とが、前記内枠が前記外枠に対し見込み方向における所定のスライド量の範囲にてスライド可能にユニット化されている新設窓枠と、前記内枠に取り付けられた新設障子と、を備えた改装用新設窓を、既設窓枠に挿入するステップと、
前記外枠と前記内枠を固定するステップと、
を有することを特徴とする窓の改装方法。
【００１９】
このような窓の改装方法によれば、外枠及び内枠がスライド可能な構造とされ改装用新設窓が予めユニット化されているので、外枠に内枠が収まった状態でユニット窓として工場から出荷し、現場で既設窓枠にユニット窓とした改装用新設窓を嵌め込み、その後、内枠を外枠に対して室外側にスライドさせて、既設窓枠に外枠を固定することができる。この構成によるため、現場ではなく工場で改装用新設窓の組み立て作業を完結することができる（現場では、外枠と内枠の固定作業を行えば良い）。そのため、品質が安定した改装用新設窓を実現することが可能となる。
【００２０】
かかる窓の改装方法であって、
前記既設窓枠に挿入された前記改装用新設窓の前記外枠を前記既設窓枠に対し固定部材で固定するステップと、
前記外枠に設けられた前記固定部材を前記内枠で覆うように前記内枠を前記外枠に対して見込み方向にスライドさせるステップと、
を有し、
前記外枠と前記内枠を固定するステップにおいては、スライド後の前記内枠を前記外枠に固定することが望ましい。
【００２１】
このような窓の改装方法によれば、新設窓枠（外枠）と既設窓枠が近い状態で、新設窓枠（外枠）と既設窓枠を固定することができるので、新設窓枠と既設窓枠の固定強度を高くすることが可能となる。さらには、固定部に設けられた固定部材を内枠で隠すことができ、意匠上の見栄えを向上させることが可能となる。
【００２２】
かかる窓の改装方法であって、
前記外枠と前記内枠とを固定した後、前記新設障子にガラスを装着するステップを有することが望ましい。
【００２３】
このような窓の改装方法によれば、新設障子が存在しない状態、つまり、改装用新設窓の重量が小さい状態で、外枠と内枠とを固定する前の作業を行えることとなり、当該作業を楽に行うことが可能となる。
【００２４】
かかる窓の改装方法であって、
前記新設窓枠の室内側に位置する部位と前記既設窓枠とに跨がって止水材を取り付けるステップを有することが望ましい。
【００２５】
このような窓の改装方法によれば、新設窓枠と既設窓枠との間の防水、気密性能を高くすることが可能となる。
【発明の効果】
【００２６】
本発明によれば、品質が安定した改装用新設窓を実現することが可能となる。
【図面の簡単な説明】
【００２７】
【図１】既設窓枠に改装用新設窓１を取り付けた状態を示す縦断面図である。
【図２】既設窓枠に改装用新設窓１を取り付けた状態を示す横断面図である。
【図３Ａ】窓の改装手順を説明するための説明図（その１）である。
【図３Ｂ】窓の改装手順を説明するための説明図（その２）である。
【図３Ｃ】窓の改装手順を説明するための説明図（その３）である。
【図３Ｄ】窓の改装手順を説明するための説明図（その４）である。
【図３Ｅ】窓の改装手順を説明するための説明図（その５）である。
【図４】改装用新設窓１がフィックス窓である場合の既設窓枠に改装用新設窓１を取り付けた状態を示す縦断面図である。
【図５】改装用新設窓１がフィックス窓である場合の既設窓枠に改装用新設窓１を取り付けた状態を示す横断面図である。
【発明を実施するための形態】
【００２８】
＝＝＝本実施の形態に係る改装用新設窓１について＝＝＝
本実施の形態に係る改装用新設窓１について、図１及び図２を用いて説明する。図１は、改装用新設窓１の縦断面図である。図２は、改装用新設窓１の横断面図である。なお、図１及び図２は、改装用新設窓１が最終的に既設窓枠７０に取り付けられた状態（以下、最終状態とも呼ぶ）が示されている。また、本実施の形態においては、改装用新設窓１として、アルミニウム製の縦すべり出し窓を例に挙げて説明する。
【００２９】
また、以下の説明においては、改装用新設窓１が既設窓枠７０に取り付けられた状態において、上下となる方向を上下方向、左右となる方向を左右方向、室内外方向である奥行き方向を見込み方向として示す。
【００３０】
改装用新設窓１は、既設の窓の一部を外して新設の窓を導入する際に使用されるユニットである。本実施の形態においては、既設の窓のうちの障子のみを外して窓枠（既設窓枠７０と呼ぶ）を残したまま、当該既設窓枠７０に対して改装用新設窓１を取り付けるようになっている。
【００３１】
ここで、既設窓枠７０は、既設のアルミニウム製枠体であり、既設上枠７２と既設下枠７４と左右の（二つの）既設縦枠７６とを備えている。そして、既設窓枠７０は、これら４つの枠体が矩形状に枠組みされて、全体として開口を形成している。既設上枠７２と既設下枠７４は、左右方向に延びた長尺状の部材であり、既設縦枠７６は、上下方向に延びた長尺状の部材である。
【００３２】
そして、改装用新設窓１は、このような既設窓枠７０に挿入され、固定されることとなる。つまり、改装用新設窓１は、既設窓枠７０の上記開口に収容されることとなる。
【００３３】
改装用新設窓１は、窓枠（新設窓枠１０と呼ぶ）と、窓枠内に取り付けられた障子（新設障子４０と呼ぶ）とを備えている。新設障子４０は、新設窓枠１０に対し、開閉自在に支持されている。
【００３４】
本実施の形態に係る新設窓枠１０は、互いに別体である外枠１２と内枠２０に分かれている（内枠２０は、外枠１２よりも左右方向及び上下方向において内側に位置している）。つまり、新設窓枠１０は、二部構成となっており、互いに別部材である外枠１２と内枠２０とを有している。
【００３５】
そして、内枠２０が外枠１２に対し見込み方向にスライド可能となっている。ここで、「内枠２０が外枠１２に対しスライド可能」とは、相対的なスライドを意味するものである。つまり、内枠２０に対し外枠１２が移動する場合と外枠１２に対し内枠２０が移動する場合の双方を含む概念である。なお、詳細については後述するが、内枠２０の外枠１２に対するスライドは改装用新設窓１の改装作業中に実行される。そして、図１や図２の最終状態においては、内枠２０は外枠１２に固定され、内枠２０は外枠１２に対してもはや相対移動できない状態となっている。
【００３６】
外枠１２は、内枠２０よりも左右方向及び上下方向において外側に位置し、既設窓枠７０に直接的に固定される窓枠である。外枠１２は、上外枠１３と下外枠１４と左右の（二つの）縦外枠１５とを備えている。そして、外枠１２は、これら４つの枠体が矩形状に枠組みされて、全体として開口を形成している。上外枠１３と下外枠１４は、左右方向に延びた長尺状の部材であり、縦外枠１５は、上下方向に延びた長尺状の部材である。
【００３７】
そして、外枠１２には、当該外枠１２を既設窓枠７０に対し固定部材の一例としてのネジ８０で固定（ネジ止め）するためのネジ穴部１２ａ（固定部に相当）が設けられている。
【００３８】
このネジ穴部１２ａは、上外枠１３と下外枠１４と左右の（二つの）縦外枠１５の各々に対応して設けられている。つまり、図１及び図２に示すように、上外枠１３には上外枠ネジ穴部１３ａが（図１参照。図１において、１箇所）、下外枠１４には、下外枠ネジ穴部１４ａ（図１参照。図１において、２箇所）が、縦外枠１５には、縦外枠ネジ穴部１５ａ（図２参照。図２において、２箇所）が、それぞれ設けられている。
【００３９】
また、外枠１２には、当該外枠１２と内枠２０をネジ８０で固定（ネジ止め）するためのネジ穴部（ネジ穴部１２ａと区別するために、便宜上、第二ネジ穴部１２ｂと呼ぶ）が設けられている。この第二ネジ穴部１２ｂは、上外枠１３と下外枠１４と左右の（二つの）縦外枠１５の各々に対応して設けられている。つまり、図１及び図２に示すように、上外枠１３には上外枠第二ネジ穴部１３ｂが（図１参照。図１において、１箇所）、下外枠１４には、下外枠第二ネジ穴部１４ｂ（図１参照。図１において、２箇所）が、縦外枠１５には、縦外枠第二ネジ穴部１５ｂ（図２参照。図２において、２箇所）が、それぞれ設けられている。
【００４０】
内枠２０は、外枠１２よりも左右方向及び上下方向において内側に位置し、新設障子４０が取り付けられている窓枠である。内枠２０は、上内枠２３と下内枠２４と左右の（二つの）縦内枠２５とを備えている。そして、内枠２０は、これら４つの枠体が矩形状に枠組みされて、全体として開口を形成している。上内枠２３と下内枠２４は、左右方向に延びた長尺状の部材であり、縦内枠２５は、上下方向に延びた長尺状の部材である。
【００４１】
そして、内枠２０には、当該内枠２０と外枠１２をネジ８０で固定（ネジ止め）するためのネジ穴部２０ａが設けられている。このネジ穴部２０ａは、上内枠２３と下内枠２４と左右の（二つの）縦内枠２５の各々に対応して設けられている。つまり、図１及び図２に示すように、上内枠２３には上内枠ネジ穴部２３ａが（図１参照。図１において、１箇所）、下内枠２４には、下内枠ネジ穴部２４ａ（図１参照。図１において、２箇所）が、縦内枠２５には、縦内枠ネジ穴部２５ａ（図２参照。図２において、２箇所）が、それぞれ設けられている。
【００４２】
また、内枠２０には、改装用新設窓１を既設窓枠７０に対して取り付けた際に、内枠２０と既設窓枠７０との間を塞ぐ乾式シール材２１が設けられている。つまり、乾式シール材２１は、改装用新設窓１を設置した際に、既設窓枠７０と接触する位置に備えられている。乾式シール材２１は、例えばＥＰＤＭや塩化ビニル樹脂からなる部材であり、上内枠２３と左右の（二つの）縦内枠２５に設けられている。上内枠２３に設けられた乾式シール材２１は、左右方向に延びた長尺状の部材となっており、縦内枠２５に設けられた乾式シール材２１は、上下方向に延びた長尺状の部材となっている。
【００４３】
新設障子４０は、框体４２とガラスの一例としての複層ガラス５０とを有しており、新設窓枠１０のうちの内枠２０に備えられている。
【００４４】
框体４２は、上下の上框４３及び下框４４と左右の縦框４５からなり、矩形状に框組みされている。そして、框体４２に囲まれた領域を塞ぐように複層ガラス５０が設けられている。
【００４５】
複層ガラス５０は、外側ガラス５０ａと内側ガラス５０ｂとが見込み方向において間隔を隔てて対面し、外側ガラス５０ａと内側ガラス５０ｂの上下方向と左右方向の内周端には、内部に乾燥剤が封入されたスペーサー５０ｃが設けられている。そして、スペーサー５０ｃは、不図示のシールにより、外側ガラス５０ａと内側ガラス５０ｂの各々に接着されている。
【００４６】
また、新設窓枠１０の室内側に位置する部位と既設窓枠７０には、当該部位と当該既設窓枠７０を跨ぐように止水材の一例としての止水テープ８５（本実施の形態においては、ブチルテープ）が取り付けられている。この止水テープ８５は、図１及び図２に示すように、Ｌ字状に（換言すれば、略直角に折り曲げられて）、四周貼り付けられている。本実施の形態においては、新設窓枠１０の外枠１２と内枠２０とに跨がり、さらに既設窓枠７０に跨がって、止水テープ８５が貼り付けられている。
【００４７】
また、新設窓枠１０の内枠２０には、止水テープ８５を覆うようにカバー材８７が設けられている。各々のカバー材８７は、上内枠２３の室内側、下内枠２４の室内側、縦内枠２５の室内側に、それぞれ取り付けられている。また、下内枠２４の室外側にもカバー材８７が設けられている。
【００４８】
＝＝＝本実施の形態に係る窓の改装方法について＝＝＝
次に、本実施の形態に係る窓の改装方法について、図３Ａ乃至図３Ｅを用いて説明する。図３Ａ乃至図３Ｅは、窓の改装手順を説明するための説明図である。窓の改装は、図３Ａ→図３Ｂ→図３Ｃ→図３Ｄ→図３Ｅの順に、進められる。図３Ｅは、前述した最終状態であり、したがって、図１及び図２と同様の状態を示している。なお、図３Ａ乃至図３Ｅにおいては、改装用新設窓１の縦断面と、横断面のうちの左右方向における一方側を示している。
【００４９】
先ず、作業者は、開梱した改装用新設窓１を既設窓枠７０に室外側から挿入する（図３Ａ参照）。そして、下外枠１４を既設窓枠７０に対しネジ８０で固定する（図３Ａの矢印参照）。つまり、下外枠ネジ穴部１４ａにネジ８０を通すことにより、下外枠１４を既設窓枠７０に対し固定する。
【００５０】
ここで、改装用新設窓１を挿入する際に当該改装用新設窓１と物理的な干渉が生じ得る部分（ヒレ部７０ａと呼ぶ）が、既設窓枠７０に存在するのであれば、改装用新設窓１の挿入前に、当該ヒレ部７０ａを予めカットしておく（改装用新設窓１が収容される既設窓枠７０の開口を整えておく）。図３Ａには、ヒレ部７０ａが表されているが、これは、改装用新設窓１の挿入の際には、既にカットされているものである。
【００５１】
また、改装用新設窓１を挿入する際には、内枠２０に新設障子４０が取り付けられているものの、取り付けられているのは框体４２だけであり、複層ガラス５０は取り付けられていない（外された状態となっている）。当該複層ガラス５０は、後の手順において、取り付けられる。
【００５２】
次に、作業者は、既設窓枠７０に挿入された改装用新設窓１の外枠１２（上外枠１３及び縦外枠１５）を既設窓枠７０に対しネジ８０で固定する（図３Ｂの矢印参照）。つまり、上外枠ネジ穴部１３ａ（縦外枠ネジ穴部１５ａ）にネジ８０を通すことにより、上外枠１３（縦外枠１５）を既設窓枠７０に対し固定する。
【００５３】
なお、本実施の形態においては、図３Ａに示したように、内枠２０が外枠１２に進入した状態（便宜上、内枠２０が外枠１２と重なったオーバーラップ状態とも呼ぶ）で改装用新設窓１が既設窓枠７０に挿入されるが、作業者は、当該状態から、図３Ｂに示したように、内枠２０が外枠１２から進出した状態（便宜上、内枠２０が外枠１２と重ならない非オーバーラップ状態とも呼ぶ）へ改装用新設窓１の状態を移行させる。つまり、作業者は、外枠１２に対し内枠２０を見込み方向にスライドさせて（すなわち、内枠２０を見込み方向室外側へスライドさせて）、改装用新設窓１を非オーバーラップ状態とする。そして、非オーバーラップ状態で、上外枠１３及び縦外枠１５を既設窓枠７０に対しネジ８０で固定する。なお、本実施の形態においては、上外枠１３及び縦外枠１５を既設窓枠７０に対しネジ８０で固定する際に、冶具１００を用いて非オーバーラップ状態を維持する。
【００５４】
また、外枠１２と内枠２０には、内枠２０の外枠１２に対するスライド量を制限するための係合部（外枠側の係合部を外枠係合部１２ｃと内枠側の係合部を内枠係合部２０ｂと呼ぶ）が設けられている。そして、作業者が、内枠２０を見込み方向室外側へスライドさせると、やがて外枠係合部１２ｃと内枠係合部２０ｂとが係合し（接触し）、内枠２０のスライドが係止されるようになっている。本実施の形態において、外枠係合部１２ｃは上外枠１３と縦外枠１５に、内枠係合部２０ｂは上内枠２３と縦内枠２５に、それぞれ設けられている。
【００５５】
次に、作業者は、冶具１００を外して、改装用新設窓１の状態を非オーバーラップ状態からオーバーラップ状態へ移行させる（戻す）。つまり、作業者は、外枠１２に対し内枠２０を見込み方向にスライドさせて（すなわち、内枠２０を見込み方向室内側へスライドさせて）、改装用新設窓１をオーバーラップ状態とする。そして、かかるオーバーラップ状態で、外枠１２と内枠２０を固定する（図３Ｃの矢印参照）。つまり、スライド後の内枠２０を外枠１２にネジ８０で固定する。具体的には、上外枠第二ネジ穴部１３ｂ及び上内枠ネジ穴部２３ａ、下外枠第二ネジ穴部１４ｂ及び下内枠ネジ穴部２４ａ、縦外枠第二ネジ穴部１５ｂ及び縦内枠ネジ穴部２５ａに、それぞれネジ８０を通すことにより、内枠２０を外枠１２に固定する。
【００５６】
なお、図３Ｃに示すように、作業者が、改装用新設窓１の状態を非オーバーラップ状態からオーバーラップ状態へ移行させると（内枠２０を見込み方向室内側へスライドさせると）、外枠１２（上外枠１３及び縦外枠１５）を既設窓枠７０に対し固定するために取り付けられたネジ８０が内枠２０により覆われる（隠される）ようになっている。換言すれば、当該ネジ８０を通すためのネジ穴部１２ａ（上外枠ネジ穴部１３ａ及び縦外枠ネジ穴部１５ａ）は、内枠２０が外枠１２に対しスライドされた際に内枠２０によって覆われる位置に設けられており、作業者は、外枠１２（上外枠１３及び縦外枠１５）に設けられた当該ネジ８０を内枠２０で覆うように内枠２０を外枠１２に対して見込み方向にスライドさせることとなる。
【００５７】
次に、作業者は、新設窓枠１０の室内側に位置する部位と既設窓枠とに跨がって止水テープ８５を取り付ける（図３Ｄ参照）。つまり、作業者は、止水テープ８５を、Ｌ字状に四周貼り付ける。
【００５８】
そして、作業者は、外枠１２と内枠２０とを固定し止水テープ８５を取り付けた後に、新設障子４０に複層ガラス５０を装着するとともに、前述したカバー材８７を取り付ける（図３Ｅ参照）。このことにより、本実施の形態に係る窓の改装方法が完了する。
【００５９】
＝＝＝本実施の形態に係る改装用新設窓１、及び、窓の改装方法の有効性について＝＝＝
上述したとおり、本実施の形態に係る改装用新設窓１は、新設窓枠１０と新設障子４０とを備え、既設窓枠７０に対して取り付けられることとした。そして、新設窓枠１０は互いに別体である外枠１２と内枠２０とに分かれており、内枠２０には、新設障子４０が取り付けられ、内枠２０は、外枠１２に対し見込み方向にスライド可能となっていることとした。
【００６０】
従来の改装用新設窓１は、複数の部材が見込み方向にスライド可能となっておらず、互いに別々の部材（単体）となっていた。そのため、各々の部材を現場に持って行って現場で組み立て作業（連結作業）を行う必要があった。したがって、組み立てが現場の作業員に委ねられ、品質が安定しないという問題が生じていた。
【００６１】
これに対し、本実施の形態においては、外枠１２及び内枠２０がスライド可能な構造とされ改装用新設窓１が予めユニット化されているので、外枠に内枠が収まった状態でユニット窓として工場から出荷し、現場で既設窓枠にユニット窓とした改装用新設窓を嵌め込み、その後、内枠を外枠に対して室外側にスライドさせて、既設窓枠に外枠を固定することができる。この構成によるため、現場ではなく工場で改装用新設窓の組み立て作業を完結することができる。そのため、改装用新設窓１の品質が安定することとなり、品質管理も楽になる。
【００６２】
また、本実施の形態において、外枠１２は、該外枠１２を前記既設窓枠７０に対しネジ８０で固定するためのネジ穴部１２ａを有していることとした。
【００６３】
そのため、改装用新設窓１を既設窓枠７０に取り付ける際に、内枠２０を見込み方向室外側へスライドさせてから（すなわち、改装用新設窓１を非オーバーラップ状態としてから）、外枠１２に対するネジ固定作業ができる。したがって、新設窓枠１０（外枠１２）と既設窓枠７０が近い状態で、新設窓枠１０（外枠１２）と既設窓枠７０を固定することができるので、新設窓枠１０と既設窓枠７０の固定強度を高くすることが可能となる。
【００６４】
また、本実施の形態において、前記ネジ穴部１２ａは、内枠２０が外枠１２に対し室内側にスライドされた際に内枠２０によって覆われる位置に設けられていることとした。
【００６５】
そのため、ネジ穴部１２ａに設けられたネジ８０を内枠２０で隠すことができ、意匠上の見栄えを向上させることが可能となる。
【００６６】
また、本実施の形態において、外枠１２と内枠２０には、内枠２０の外枠１２に対するスライド量を制限するための係合部（外枠係合部１２ｃ及び内枠係合部２０ｂ）が設けられていることとした。
【００６７】
そのため、作業者は、内枠２０を外枠１２に対しスライドさせる際にどこまでスライドさせるかを意識することなくスライド作業を行うことができる。また、スライドさせて内枠２０と外枠１２が係合した際には、内枠２０と外枠１２の相対移動が係止されるため、安全に各種作業が行える。
【００６８】
また、本実施の形態において、内枠２０には、改装用新設窓１を既設窓枠７０に対して取り付けた際に、内枠２０と既設窓枠７０との間を塞ぐ乾式シール材２１が設けられていることとした。
【００６９】
そのため、改装用新設窓１を既設窓枠７０に対して取り付けるだけで、窓の防水性を確保することが可能となる。
【００７０】
また、本実施の形態に係る窓の改装方法は、互いに別体である外枠１２と内枠２０とに分かれており内枠２０が外枠１２に対し見込み方向にスライド可能な新設窓枠１０と、内枠２０に取り付けられた新設障子４０と、を備えた改装用新設窓１を、既設窓枠７０に挿入するステップと、外枠１２と内枠２０を固定するステップと、を有することとした。
【００７１】
そのため、上述したとおり、外枠１２及び内枠２０がスライド可能な構造とされ改装用新設窓１が予めユニット化されているので、現場ではなく工場で組み立て作業（連結作業）を行うことができる（現場では、外枠１２と内枠２０の固定作業を行えば良い）。したがって、改装用新設窓１の品質が安定することとなり、品質管理も楽になる。
【００７２】
また、本実施の形態においては、既設窓枠７０に挿入された改装用新設窓１の外枠１２を既設窓枠７０に対しネジ８０で固定するステップと、外枠１２に設けられた当該ネジ８０を内枠２０で覆うように内枠２０を外枠１２に対して見込み方向にスライドさせるステップと、を有し、外枠１２と内枠２０を固定するステップにおいては、スライド後の内枠２０を外枠１２に固定することとした。
【００７３】
そのため、前述したとおり、新設窓枠１０（外枠１２）と既設窓枠７０が近い状態で、新設窓枠１０（外枠１２）と既設窓枠７０を固定することができるので、新設窓枠１０と既設窓枠７０の固定強度を高くすることが可能となる。さらには、前述した通り、ネジ穴部１２ａに設けられたネジ８０を内枠２０で隠すことができ、意匠上の見栄えを向上させることが可能となる。
【００７４】
また、本実施の形態においては、外枠１２と内枠２０とを固定した後、新設障子４０に複層ガラス５０を装着するステップを有することとした。
【００７５】
そのため、新設障子４０が存在しない状態、つまり、改装用新設窓１の重量が小さい状態で、外枠１２と内枠２０とを固定する前の作業を行えることとなり、当該作業を楽に行うことが可能となる。
【００７６】
また、本実施の形態においては、新設窓枠１０の室内側に位置する部位と既設窓枠７０とに跨がって止水テープ８５を取り付けるステップを有することとした。
【００７７】
そのため、新設窓枠１０と既設窓枠７０との間の防水、気密性能を高くすることが可能となる。
【００７８】
＝＝＝その他の実施の形態＝＝＝
上記実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００７９】
上記実施の形態においては、改装用新設窓１として縦すべり出し窓を例に挙げたが、これに限定されるものではない。例えば、横すべり出し窓、開き窓、突き出し窓、内倒し窓、外倒し窓、引き違い窓、フィックス窓であってもよい。
【００８０】
なお、改装用新設窓１が、フィックス窓であるケースを図４及び図５に示す。図４及び図５は、それぞれ図１及び図２に対応する図であり、改装用新設窓１がフィックス窓である場合の改装用新設窓１の縦断面図と横断面図である。改装用新設窓１がフィックス窓である場合には、以下に述べる追加の効果が生じる。
【００８１】
改装用新設窓１がフィックス窓である場合には、新設障子４０を開閉させることができないため、内枠２０が外枠１２に対し見込み方向にスライド可能となっている構成がより有用に働く。すなわち、新設障子４０を開閉させることができる場合には、仮に内枠２０が外枠１２に対しスライド不能であっても、改装用新設窓１を既設窓枠７０に固定するためのネジ８０を止めるための適切なスペースを前記開閉により何とか確保できる。しかしながら、新設障子４０を開閉させることができないフィックス窓において、仮に内枠２０が外枠１２に対しスライド不能であると、改装用新設窓１を既設窓枠７０に固定するためのネジ８０を止める適切なスペースを確保することが困難になる。したがって、改装用新設窓１がフィックス窓である場合には、内枠２０が外枠１２に対し見込み方向にスライド可能となっている構成により、改装用新設窓１を既設窓枠７０に固定するためのネジ８０を止めるための適切なスペースを作り出す効果が奏されることとなる。
【００８２】
また、上記実施の形態においては、改装用新設窓１としてアルミニウム製の窓を例に挙げたが、これに限定されるものではなく、樹脂製の窓であってもよい。また、既設窓枠７０がアルミニウム製であり、改装用新設窓１が樹脂製の窓であった場合には、金属製の既設窓を樹脂製の新設窓に改装できることとなるので窓の断熱性能を高めることが可能となる。
【符号の説明】
【００８３】
１  改装用新設窓
１０  新設窓枠
１２  外枠、１２ａ  ネジ穴部、１２ｂ  第二ネジ穴部、１２ｃ  外枠係合部
１３  上外枠、１３ａ  上外枠ネジ穴部、１３ｂ  上外枠第二ネジ穴部
１４  下外枠、１４ａ  下外枠ネジ穴部、１４ｂ  下外枠第二ネジ穴部
１５  縦外枠、１５ａ  縦外枠ネジ穴部、１５ｂ  縦外枠第二ネジ穴部
２０  内枠、２０ａ  ネジ穴部、２０ｂ  内枠係合部
２１  乾式シール材
２３  上内枠、２３ａ  上内枠ネジ穴部
２４  下内枠、２４ａ  下内枠ネジ穴部
２５  縦内枠、２５ａ  縦内枠ネジ穴部
４０  新設障子、４２  框体、５０  複層ガラス
７０  既設窓枠
８０  ネジ
８５  止水テープ
【図１】
0006472701.tif 000002
【図２】
0006472701.tif 000003
【図３Ａ】
0006472701.tif 000004
【図３Ｂ】
0006472701.tif 000005
【図３Ｃ】
0006472701.tif 000006
【図３Ｄ】
0006472701.tif 000007
【図３Ｅ】
0006472701.tif 000008
【図４】
0006472701.tif 000009
【図５】
0006472701.tif 000010